(57)【要約】【課題】  インデックス再生時により直感的に画像情報をユーザに把握させることができる画像再生装置及び画像記録再生装置を提供する。【解決手段】記録媒体から画像データを再生する再生手段と、画像データに付加されている固有情報を検出する検出手段と、画像データに対応するアイコンを表示する表示手段と、固有情報に応じてアイコンを構成する矩形の少なくとも一辺以上の長さを変更する表示制御手段を有する。【選択図】  図１
2005173281.tif 000002
【特許請求の範囲】
【請求項１】
記録媒体に記録された画像データを再生する画像再生装置であって、
前記記録媒体から画像データを再生する再生手段と、
前記画像データに付加されている固有情報を検出する検出手段と、
前記画像データに対応するアイコンを表示する表示手段と、
前記固有情報に応じて、前記アイコンを構成する矩形の少なくとも一辺以上の長さを変更する表示制御手段を有することを特徴とする画像再生装置。
【請求項２】
請求項１記載の画像再生装置において、前記アイコンを構成する矩形を変更する前記固有情報は、動画像の記録時間であることを特徴とする画像再生装置。
【請求項３】
請求項１記載の画像再生装置において、前記アイコンを構成する矩形を変更する前記固有情報は、画像枚数であることを特徴とする画像再生装置。
【発明の詳細な説明】
【技術分野】
【０００１】
本発明は、複数の画像または縮小画像を並べて表示するインデックス再生機能を有した画像再生装置または画像記録再生装置に関する。
【背景技術】
【０００２】
デジタルビデオカメラ、デジタルカメラなどの画像記録再生装置は、記録媒体に記録されている複数の画像を並べて再生するインデックス再生機能を有するものがある。各画像の情報を表示するために静止画を意味するアイコンや動画を意味するアイコン、消去防止を意味するアイコンなどを画像に重ねるまたは添えて表示する方法がある（特許文献１参照）。
【特許文献１】特開２００１−５４０４２号公報
【発明の開示】
【発明が解決しようとする課題】
【０００３】
しかしながら、アイコンを表示するだけではそのアイコンの意味を理解する必要があり、多種の情報を表示する場合は、複数アイコンデータをメモリ上に保持しておかなければならない。
【０００４】
また、文字を使って情報を表示する方法では画面構成が複雑になり直感的にファイルの情報を把握することが難しくなる。
【０００５】
本発明は、上述の実情に鑑みてなされたもので、インデックス再生時により直感的に画像情報をユーザに把握させることができる画像再生装置及び画像記録再生装置を提供することを目的とする。
【課題を解決するための手段】
【０００６】
上記課題を解決するため、本発明では以下のように構成している。
【０００７】
即ち、記録手段に記録された画像データを再生する画像再生装置であって、前記記録手段に記録されている画像データを再生する再生手段と、前記画像データに付加されている固有情報を検出する検出手段と、アイコンを表示する表示手段と、前記固有情報に応じて、前記アイコンを構成する矩形の少なくとも一辺以上の長さを変更する表示制御手段を有することを特徴とする。
【０００８】
また、前記アイコンを構成する矩形を変更する前記固有情報は、動画像の記録時間であることを特徴とする。
【０００９】
また、前記アイコンを構成する矩形を変更する前記固有情報は、画像枚数であることを特徴とする。
【発明の効果】
【００１０】
本発明に係る画像記録装置及び画像再生方法によれば、インデックス再生時に描画する矩形、またはアイコンを構成する矩形の少なくとも一辺を画像情報に応じて変更することで、多種のアイコンを用いることなく画像情報をより直感的にユーザに把握させることができる。
【発明の最良の実施形態】
【００１１】
以下に本発明の実施例について説明する。
【実施例１】
【００１２】
以下に、本発明の第１の実施例を図１〜図５に基づき説明する。
【００１３】
図１は本発明に係わる画像再生装置を示す概略構成ブロック図である。
【００１４】
図１において、１０１は画像メモリ１０２にある画像データに矩形などを描画する描画部、１０２は画像データを格納する画像メモリ、１０３は拡大縮小などの画像処理を施す画像処理部、１０４はユーザとのインタフェースとなる操作キー、１０５は画像メモリ１０２に格納されている画像データを表示するＬＣＤなどの表示部、１０６は画像再生装置全体を制御するＣＰＵ、１０７は記録媒体１０８に記録されているデータファイルなどを読み出し、再生画像を復元する再生部である。また、１０８はディスク、メモリカードなどのリムーバブルな記録媒体である。上記１０１〜１０７で画像再生装置を構成しており、通常の画像再生時は再生部１０６が本画像再生装置にセットされている記録媒体１０８からデータを読み出し、再生画像を復元し、画像処理部１０３によって表示用の画像処理を行い画像メモリ１０２に格納し、表示部１０５が画像メモリ１０２に格納された再生データを表示する。
【００１５】
図２は本発明に係わる画像再生装置におけるインデックス表示のイメージ図である。図２において、画像１は通常の静止画ファイル、画像２は連写オブジェクト、画像３は動画ファイル、画像４は連写オブジェクト、画像５は動画ファイル、画像６は通常静止画ファイルである。
【００１６】
まず、通常静止画ファイル６をインデックス表示する場合、画像の縮小画像またはサムネイル画像を縮小などの画像処理を施して表示する。
【００１７】
次に、連写撮影などの複数の静止画ファイルが関連付けられているオブジェクトは、複数ある画像中の代表画像の縮小画像またはサムネイル画像を１枚表示し、関連ファイルの枚数に応じて描画部１０１が矩形を描画し表示する。オブジェクト中の先頭画像を代表画像にした場合のインデックス表示が画像２であり、また、オブジェクト中先頭から３枚目を代表画像とした場合のインデックス表示が画像４である。表示画像（代表画像の縮小画）の右上に描画された矩形が時間軸上で後ろにある同一オブジェクト内のファイル数を示し、左下に描画された矩形は時間軸上で前にある同一オブジェクト内のファイル数を示している。矩形の描画色は代表画像の前後で異なる。
【００１８】
次に、動画ファイルをインデックス表示する場合は、動画中の１画像またはサムネイル画像の右上に矩形を描画部１０１が描画する。動画ファイルの記録時間に応じて描画する矩形の領域を決定する。また、表示されている画像が動画中の１画像であった場合、その画像が動画ファイル中の時間軸方向の位置を描画する。画像３は動画ファイルの１画像を表示している。また、画像５は動画ファイルのサムネイル画像を表示している。
【００１９】
図３は図２における画像４であり、連写オブジェクトを表している。連写オブジェクト内の画像総枚数は６枚、表示している画像は先頭から３枚目の画像であり、この画像の前には２枚、後ろには３枚の画像があることを意味している。
【００２０】
また、図４は図２における画像３であり、動画ファイルを表している。動画ファイルの記録時間はＳ秒、記録時間Ｓを表す時間軸上の長さをＬ、表示している画像の時間軸上の先頭からの長さをｍとすると、表示されている画像は先頭からＳ× ｍ／Ｌ 秒の画像であることを意味している。
【００２１】
図５は本発明に係る画像再生装置におけるインデックス再生時のＣＰＵ１０６の動作フローチャートである。
【００２２】
インデックス再生時は６枚の画像を表示し、表示画像カウンタｎとする。
【００２３】
まず、表示画像カウンタｎに０を代入する（Ｓ５０１）。表示画像カウンタｎがｎ＜６を満たすか判断する（Ｓ５０２）。ＮＯならば終了する。ＹＥＳならば記録媒体１０８に記録されている所望の画像オブジェクトからオブジェクトの種類、記録時間、画像枚数等からなるオブジェクト情報を取得する（Ｓ５０３）。Ｓ５０３で取得したオブジェクト情報から動画オブジェクトか判断する（Ｓ５０４）。ＹＥＳならばＳ５０３で取得したオブジェクト情報から記録時間を取得する（Ｓ５０５）。次に動画オブジェクト代表画像の時間軸上の位置を取得する（Ｓ５０６）。
【００２４】
また、Ｓ５０４においてＮＯならばＳ５０３で取得したオブジェクト情報から連写オブジェクトか判断する（Ｓ５１１）。ＹＥＳならばＳ５０３で取得したオブジェクト情報から連写枚数を取得する（Ｓ５１２）。次に、連写オブジェクトの何番目の画像が代表画像か指定されている代表画像位置情報を取得する（Ｓ５１３）。
【００２５】
Ｓ５０６及びＳ５１３の処理を実行した後に動画オブジェクト時は記録時間と代表画像位置、連写オブジェクトは総枚数と代表画像位置から矩形アイコンを描画部１０１によって生成する（Ｓ５０７）。次に代表画像とＳ５０７で生成した矩形アイコンを合成する(S508)。
【００２６】
また、Ｓ５１１においてＮＯならば画像のサムネイル画像を再生する（Ｓ５１４）。
【００２７】
Ｓ５０８の合成画像及びＳ５１４のサムネイル画像を表示部１０５に表示する（Ｓ５０９）。次に表示画像カウンタｎにｎ＋１を代入しＳ５０２へ移る（Ｓ５１０）。
【００２８】
以上のような動作を行うことで画像オブジェクトの時間情報と代表画像のオブジェクト内での位置を表すインデックス再生表示を実現する。
【図面の簡単な説明】
【００２９】
【図１】本発明に係わる画像再生装置を示す概略構成ブロック図である。
【図２】本発明に係わる画像再生装置におけるインデックス表示のイメージ図である。
【図３】図２における連写オブジェクトのインデックス表示のイメージ図である。
【図４】図２における動画オブジェクトのインデックス表示のイメージ図である。
【図５】本発明に係る画像再生装置におけるインデックス再生時のＣＰＵ１０６の動作フローチャートである。
【符号の説明】
【００３０】
１０１    描画部
１０２    メモリ
１０３    画像処理部
１０４    操作キー
１０５    表示部
１０６    ＣＰＵ
１０７    再生部
１０８    記録媒体
【図１】
2005173281.tif 000003
【図２】
2005173281.tif 000004
【図３】
2005173281.tif 000005
【図４】
2005173281.tif 000006
【図５】
2005173281.tif 000007